【事件の表示】
　平成　９年特許願第２１１０４４号「マルチメディアバスを持つマルチメディアシステム」拒絶査定不服審判事件〔平成１０年　４月１０日出願公開、特開平１０−　９１５７６〕について、次のとおり審決する。
【結　論】
　本件審判の請求は、成り立たない。
【理　由】
第１　手続の経緯
　
　本願は，平成９年８月５日（優先権主張，１９９６年８月５日，韓国）の出願であって，平成１７年６月１０日付けで拒絶査定がされ，これに対して平成１７年９月１２日に拒絶査定不服審判の請求がなされ，当審より平成２１年４月２１日付けで拒絶の理由を通知し，同年７月２４日付けで手続補正がされたものである。
　
第２　本願発明
　
　本願の発明は，平成２１年７月２４日付け手続補正により補正された明細書の特許請求の範囲の請求項１に記載された事項により特定される次のとおりのものである。（以下，「本願発明」という。）
　
「コンピュータ基盤の制御センター（ｃｏｎｔｒｏｌ　ｃｅｎｔｅｒ）及びアナログオーディオ／ビデオソース（ａｎａｌｏｇ　ａｕｄｉｏ／ｖｉｄｅｏ　ｓｏｕｒｃｅ）の複数のステーション（ｓｔａｔｉｏｎ）を持つマルチメディアプレーヤシステム（ｍｕｌｔｉ　ｍｅｄｉａ　ｐｌａｙｅｒｓｙｓｔｅｍ）であって，
　アナログ信号を入出力する制御センターのアナログ信号入／出力手段と，ディジタル信号を入出力する制御センターのディジタル信号入／出力手段と，システムバスと，を有するコンピュータ基盤の制御センターと，
　アナログ信号を入出力する各ステーションのアナログ信号入／出力手段と，ディジタル信号を入出力する各ステーションのディジタル信号入／出力手段と，を有する，アナログオーディオ／ビデオソース（ａｎａｌｏｇ　ａｕｄｉｏ／ｖｉｄｅｏ　ｓｏｕｒｃｅ）の複数のステーションと，
　前記制御センター及び前記複数のステーションの各ステーションに装着され，複数の雄コネクタのうちの第１の雄コネクタと複数の雌コネクタのうちの第１の雌コネクタとを有する第１のコネクタ（ｃｏｎｎｅｃｔｏｒ）と，
　前記制御センター及び前記各ステーションで前記第１のコネクタと隣接するように装着され，複数の雄コネクタのうちの第２の雄コネクタと複数の雌コネクタのうちの第２の雌コネクタとを有する第２のコネクタと，
　前記制御センターが有する第１のコネクタと前記各ステーションが有する第１のコネクタとは，互いに対向する位置に設けられ，
　前記制御センターが有する第２のコネクタと前記各ステーションが有する第２のコネクタとは，互いに対向する位置に設けられ，
　前記第１のコネクタの複数の対応するピン（Ｐｉｎ）を前記制御センター及び前記各ステーションのアナログ信号入／出力手段に連結するための第１の複数の信号ラインを持つ，マルチメディアアナログバスである第１のバス（ｂｕｓ）と，
　前記第２のコネクタの複数の対応するピンを前記制御センターのシステムバス及び前記各ステーションのディジタル信号入／出力手段に連結するための第２の複数の信号ラインを持つ，周辺装置の内部バスである第２のバスと，を備えることを特徴とするマルチメディアプレーヤシステム。」
　
第３　引用例
　
１．刊行物１
　当審で通知した拒絶の理由に引用された，本願の出願前に頒布された刊行物である特開平８−１０２９８４号公報（平成８年４月１６日発行）には，図面とともに以下の事項が記載されている。
　
Ａ．「【従来の技術】ＡＶバス方式のＡＶシステムは，ＡＶセンターへの操作指令によって接続されている全ての機器を操作できるため，非常に操作性に優れたシステムであり，かかるＡＶシステムの従来例が図９に示されている。
【０００３】図９において，ＡＶシステムはＡＶ機器であるＡＶセンター（例えばテレビ受像機）１と３台のＡＶ機器（例えばＶＴＲ，チューナ）２ａ，２ｂ，２ｃとで構成されている。ＡＶセンター１と各ＡＶ機器２ａ，２ｂ，２ｃとにはＡＶ信号用の信号コネクタ３とＡＶバス用のバスコネクタ４とが適当数設けられている。そして，ＡＶセンター１と各ＡＶ機器２ａ，２ｂ，２ｃ間は各信号コネクタ３を用いてＡＶ信号ケーブル５ａ，５ｂ，５ｃを介してそれぞれ接続されている。ＡＶ信号ケーブル５ａ，５ｂ，５ｃは一般に映像線，音声線（左，右）から構成される。又，ＡＶセンター１とＡＶ機器（Ａ）２ａ間，ＡＶ機器（Ａ）２ａとＡＶ機器（Ｂ）２ｂ間，及び，ＡＶ機器（Ｂ）２ｂとＡＶ機器（Ｃ）２ｃ間はバスコネクタ４を用いてＡＶバスケーブル６を介してそれぞれ接続されている。ＡＶバスケーブル６は平衡＋信号線，平衡−信号線及びアース線とから構成される。」
　
Ｂ．「【０００９】
【実施例】以下，本発明の実施例を図面を用いて説明する。図１から図５に本発明の一実施例が示されている。図１にはＡＶシステムの配線パターンの概略図が示されている。図１において，このＡＶシステムは４台のＡＶ機器１，２ａ〜２ｃを有し，各ＡＶ機器１，２ａ〜２ｃにはＡＶバス用の一対のバス用コネクタ３とＡＶ信号用の一対の信号コネクタ４とがそれぞれ設けられている。そして，両端に配置されたＡＶ機器１，２ｃには各隣りの一のＡＶ機器２ｂ，２ｃに対してそれぞれＡＶバスケーブル５ａ，５ｂ，５ｃ及びＡＶ信号ケーブル６ａ，６ｃで接続されている。中間位置に配置され，隣り合うＡＶ機器２ａ，２ｂ同士もＡＶバスケーブル５ｂ及びＡＶ信号ケーブル６ｂで接続されている。即ち，ＡＶ信号ケーブル６ａ，６ｂ，６ｃもＡＶケーブル５ａ，５ｂ，５ｃと同様に串刺し状に配線されている。尚，この実施例ではＡＶ機器１，２ａ〜２ｃが４台の場合を示したが，５台以上の場合も中間位置に配置された各ＡＶ機器は隣り合う二つのＡＶ機器に対してＡＶバスケーブル及びＡＶ信号ケーブルでそれぞれ接続すれば良い。
【００１０】図２はＡＶ機器１，２ａ間のケーブル接続構成図が示されている。図２において，各ＡＶ機器１，２ａのバスコネクタ３は３つの端子Ｔ1，Ｔ2，Ｔ3を有し，各端子Ｔ1，Ｔ2，Ｔ3はＡＶバスを構成する平衡＋信号線，平衡−信号線及びアース線にそれぞれ接続されている。ＡＶバスケーブル５ａも上記３本の線ｌ1〜ｌ3を有し，この各線ｌ1〜ｌ3の両端は各プラグ５ａ1の３つの端子ｔ1，ｔ2，ｔ3にそれぞれ接続されている。
【００１１】各ＡＶ機器１，２ａの信号コネクタ４は６つの端子Ｔ4〜Ｔ9を有し，３つの端子Ｔ4，Ｔ6，Ｔ8は映像用であり，他の３つの端子Ｔ5，Ｔ7，Ｔ9は音声用である。映像用の各端子Ｔ4，Ｔ6，Ｔ8は切換器内の切換スイッチＳＷ4，ＳＷ6，ＳＷ8を介して映像出力線と映像入力線に選択的に接続されている。音声用の各端子Ｔ5，Ｔ7，Ｔ9も切換器内の切換スイッチＳＷ5，ＳＷ7，ＳＷ9を介して音声出力線と音声入力線に選択的に接続されている。尚，ステレオ音声の場合には左用と右用の２本となる。
【００１２】ＡＶ信号ケーブル６ａは６本の線ｌ4〜ｌ9を有し，この各線ｌ4〜ｌ9の両端は各プラグ６ａ1の６つの端子ｔ4〜ｔ9にそれぞれ接続されている。そして，映像用の線ｌ4と音声用の線ｌ5の組で，映像用の線ｌ6と音声用の線ｌ7の組で，映像用の線ｌ8と音声用の線ｌ9の組でそれぞれ経路を構成し，ＡＶ信号ケーブル６ａは全部でＡＶ信号用の３つの経路を有している。
【００１３】また，ＡＶ機器１，２ａ間以外の他のＡＶ機器２ａ，２ｂ，２ｃ間のケーブル接続構成も図２と同様に構成されている。即ち，このＡＶシステムのＡＶ機器１，２ａ〜２ｃ間はＡＶ信号用として３つの経路が串刺し状に配線されている。
【００１４】一方，ＡＶシステムを構成する１つのＡＶ機器１はＡＶセンターとされ，他の３つのＡＶ機器２ａ〜２ｃは周辺機器（Ａ），（Ｂ），（Ｃ）とされる。そして，ＡＶ信号用の３つの経路はこの周辺機器（Ａ），（Ｂ），（Ｃ）にそれぞれ割り当てられている。即ち，例えばＡＶ機器（Ａ）２ａのＡＶ信号はＡＶ信号ケーブル６ａ，６ｂ，６ｃの線ｌ4，ｌ5を介して他のＡＶ機器１，２ｂ，２ｃに出力され，又，他のＡＶ機器１，２ｂ，２ｃからのＡＶ信号がＡＶ信号ケーブル６ａ，６ｂ，６ｃの線ｌ4，ｌ5を介してＡＶ機器（Ａ）２ａに入力される。この実施例ではＡＶ信号ケーブル６ａ，６ｂ，６ｃの各線ｌ4〜ｌ9が各周辺機器のＡＶ機器２ａ，２ｂ，２ｃにそれぞれ割り当てられているが，ＡＶ信号ケーブル６ａ，６ｂ，６ｃの経路は周辺機器の数より少なくても良い。
【００１５】図３には上記ＡＶセンターであるＡＶ機器１の回路ブロック図が示されている。図３において，ＡＶ機器１はテレビ受像機であり，操作ボタン１０を操作すると，インターフェース（Ｉ／Ｆ）１１に所定の信号が入力される。又，コマンダ１２を操作すると，コマンダ１２より出射される赤外線信号が受信部１３で受信され，インターフェース１１に信号が入力される。インターフェース１１は，これらの信号を内部バス制御線１４を介してＣＰＵ１５に出力する。ＣＰＵ１５は，プログラムＲＯＭ１６に記憶されているプログラムに従って各部を制御する。」
　
Ｃ．「【００１８】ＡＶバス制御通信処理マイコン２０は，ＡＶバス制御通信処理ＩＣ２１を介して各ＡＶ機器２ａ〜２ｃと各種のコマンドの授受を行う。
【００１９】切換器２２は各コネクタ４の端子Ｔ4〜Ｔ9と接続され，これらの各端子Ｔ4〜Ｔ9等から供給された信号を選択し，選択した信号の内，映像信号をＣＲＴ２３等に選択的に出力し，音声信号をスピーカ２４等に選択的に出力する。又，切換器２２はチューナ２５から，又は，端子Ｔ4〜Ｔ9からの映像・音声信号をＣＲＴ２３及びスピーカ２４や端子Ｔ4〜Ｔ9などに選択的に出力する。
【００２０】チューナ２５は，所定の放送電波などを受信し，受信信号を加算器２９を介して切換器２２に出力する。音声発生部２６はＣＰＵ１５からの制御信号に応じて所定の音声信号を加算器２９を通して切換器２２に出力する。画面表示用ＩＣ２７は，ＣＰＵ１５より供給されるＯＳＤデータに対応する映像信号を発生し，このビデオ信号をＣＲＴ２３や切換器２２に出力する。映像・音声検出部２８はシステム初期設定モード時に切換器２２から映像信号及び音声信号が供給されるか否かを検出する。
【００２１】図４には子機の１つであるＡＶ機器（Ａ）２ａの回路ブロック図が示されている。図４において，図３のテレビジョン受像機１と同一構成部分については図面に同一符号（区別のためダッシュを付ける）を付してその説明を省略し，異なる構成部分のみを説明する。即ち，ＡＶ機器（Ａ）２ａはＡＶセンターとなり得る機器ではないため，ジップスイッチＳＷには「１」，「２」，「３」，「４」，「オート」端子のみが設けられている。そして，「１」端子に設定されるとアドレス（１２０Ｈ）に，「２」端子に設定されるとアドレス（１２１Ｈ）に，「３」端子に設定されるとアドレス（１２２Ｈ）に，「４」端子に設定されるとアドレス（１２３Ｈ）にそれぞれ設定される。又，「オート」端子に設定されると，ＣＰＵ１５が初期設定処理によってＶＴＲに割り当てられた中の１つの機器アドレスを設定する。
【００２２】音声記録再生回路３０は，再生した音声信号を加算器３２を介して切換器２２′に出力し，又，切換器２２′より出力された音声信号が音声記録再生回路３０に入力される。映像記録再生回路３１は，再生した映像信号を加算器２９′を通して切換器２２′に出力し，又，切換器２２′より出力された映像信号が映像記録再生回路３１に入力される。切換器２２′は各端子Ｔ4〜Ｔ9より導かれた映像信号を選択的に映像記録再生回路３１に，音声信号を選択的に音声記録再生回路３０に出力し，又，スルーして各端子Ｔ6〜Ｔ9に選択的に出力する。また，切換器２２′は映像記録再生回路３１および音声記録再生回路３０からの映像・音声信号を各端子Ｔ4，Ｔ5に選択的に出力する。
【００２３】他のＡＶ機器２ｂ，２ｃの回路ブロックも略同様に構成されている。又，各ＡＶ機器１，２ａ〜２ｃはＡＶバス用の終端抵抗を有し，一対のバス用コネクタ３全てにプラグ５ａ1等が装着された場合のみオープンとなるよう構成されている。」
　
Ｄ．図面第３図及び図面第４図には，各ＡＶ機器１，２ａ〜２ｃのＣＰＵ１５，プログラムＲＯＭ１６，１６′，ＲＡＭ１７，１７′等が接続されている内部バス１４，１４′が，ＡＶバス制御通信処理マイコン２０，２０′及びＡＶバス制御通信処理ＩＣ２１，２１′，端子Ｔ１，Ｔ２，Ｔ３を介してＡＶバスケーブルに接続されていることが記載されている。
　
　以上から，刊行物１には，次の発明（以下，「刊行物１発明」という。）が記載されている。
　
「ＡＶ機器１，２ａ〜２ｃを有するＡＶシステムであって，
　各ＡＶ機器１，２ａ〜２ｃにはＡＶバス用の一対のバス用コネクタ３とＡＶ信号用の一対の信号コネクタ４とがそれぞれ設けられ，
　両端に配置されたＡＶ機器１，２ｃは，各隣りの一のＡＶ機器２ｂ，２ｃに対してそれぞれＡＶバスケーブル５ａ，５ｂ，５ｃ及びＡＶ信号ケーブル６ａ，６ｃで接続され，
　中間位置に配置され，隣り合うＡＶ機器２ａ，２ｂ同士もＡＶバスケーブル５ｂ及びＡＶ信号ケーブル６ｂで接続され，
　各ＡＶ機器のバスコネクタ３は３つの端子Ｔ1，Ｔ2，Ｔ3を有し，各端子Ｔ1，Ｔ2，Ｔ3はＡＶバスを構成する平衡＋信号線，平衡−信号線及びアース線にそれぞれ接続され，ＡＶバスケーブル５ａも上記３本の線ｌ1〜ｌ3を有し，この各線ｌ1〜ｌ3の両端は各プラグ５ａ1の３つの端子ｔ1，ｔ2，ｔ3にそれぞれ接続され，
　各ＡＶ機器の信号コネクタ４は６つの端子Ｔ4〜Ｔ9を有し，３つの端子Ｔ4，Ｔ6，Ｔ8は映像用であり，他の３つの端子Ｔ5，Ｔ7，Ｔ9は音声用であり，映像用の各端子Ｔ4，Ｔ6，Ｔ8は切換器内の切換スイッチＳＷ4，ＳＷ6，ＳＷ8を介して映像出力線と映像入力線に選択的に接続され，音声用の各端子Ｔ5，Ｔ7，Ｔ9も切換器内の切換スイッチＳＷ5，ＳＷ7，ＳＷ9を介して音声出力線と音声入力線に選択的に接続され，
　ＡＶシステムを構成する１つのＡＶ機器１はＡＶセンター（例えばテレビ受像器）とされ，他の３つのＡＶ機器２ａ〜２ｃ（例えばＶＴＲ，チューナ）は周辺機器（Ａ），（Ｂ），（Ｃ）とされ，例えばＡＶ機器（Ａ）２ａのＡＶ信号はＡＶ信号ケーブル６ａ，６ｂ，６ｃを介して他のＡＶ機器１，２ｂ，２ｃに出力され，又，他のＡＶ機器１，２ｂ，２ｃからのＡＶ信号がＡＶ信号ケーブル６ａ，６ｂ，６ｃを介してＡＶ機器（Ａ）２ａに入力され，
　ＡＶ機器１はテレビ受像機であり，操作ボタン１０を操作すると，インターフェース（Ｉ／Ｆ）１１に所定の信号が入力され，インターフェース１１は，これらの信号を内部バス制御線１４を介してＣＰＵ１５に出力し，ＣＰＵ１５は，プログラムＲＯＭ１６に記憶されているプログラムに従って各部を制御し，ＡＶバス制御通信処理マイコン２０は内部バスに接続され，ＡＶバス制御通信処理ＩＣ２１を介し，端子Ｔ１，Ｔ２，Ｔ３及びＡＶバスケーブルにより各ＡＶ機器２ａ〜２ｃと接続され，各ＡＶ機器２ａ〜２ｃと各種のコマンドの授受を行い，
　各ＡＶ機器２ａ〜２ｃのＡＶバス制御通信処理マイコン２０も内部バスに接続され，ＡＶバス制御通信処理ＩＣ２１を介し，端子Ｔ１，Ｔ２，Ｔ３及びＡＶバスケーブルにより各ＡＶ機器と接続され，各種のコマンドの授受を行う，
　ＡＶシステム」
　
２．刊行物２
　当審で通知した拒絶の理由に引用された，本願の出願前に頒布された刊行物である実願平３−７８０４９号（実開平５−２９１８２号）のＣＤ−ＲＯＭ（平成５年４月１６日発行）には，図面とともに以下の事項が記載されている。
　
Ｅ．「【０００１】
　【産業上の利用分野】
　本校案はアンプ，ＣＤプレーヤ及びＤＡＴ（デジタルオーディオテープレコーダ）等の複数の機器を上下方向に重ねて配置される電子機器の筐体構造に関する。
  【０００２】
【従来の技術】
  従来，実公平３−３１１００号公報に示されるような電子機器は電源プラグや信号の授受を成すコネクタは通常，背面パネルに配置されている。このため，複数の電子機器を重ねて配置して使用する場合，各機器間のケーブル接続は非常に困難であり煩わしいものであった。」
　
Ｆ．「【０００８】
　【実施例】
　以下，図面に従い本考案の一実施例を説明する。図１は電子機器の斜視図であり，１，１は電子機器であり，各電子機器の上面には凸部２が形成され，この凸部２の中央には雄型の第１のコネクタ３が設けられている。また，下面には前記凸部２に対応する凹部４が形成され，この凹部４の中央には前記第１のコネクタ３に対応する雌型の第２のコネクタ５が設けられている。
 【０００９】
  図２Ａ及びＢは前記第１のコネクタの平面図及び側面図である。この第１のコネクタは円環状の突起３ａ及び円形の凹所３ｂを備え，この凹所３ｂには端子３ｃ，３ｄ及び３ｅが形成されている。この各端子は光ファイバーが接続された光ファイバー端子である。
 【００１０】
  図３Ａ及びＢは前記第１のコネクタの平面図及び側面図である。この第２のコネクタは円環状の凹所５ａ及び円形の突起５ｂを備え，この突起５ｂには前記端子３ｃ，３ｄ及び３ｅに対応した端子５ｃ，５ｄ及び５ｅが形成されている。
 【００１１】
  そして，図４は複数の電子機器を積み重ねた状態の斜視図であり，各機器の凸部２と凹部４とを嵌合させることにより各機器の位置決めが為されると共に，第１のコネクタ３と第２のコネクタ５とがそれぞれ結合される。」
　
３．刊行物３
　当審で通知した拒絶の理由に引用された，本願の出願前に頒布された刊行物である実願平５−７５７２０号（実開平７−４２０２２号）のＣＤ−ＲＯＭ（平成７年７月２１日発行）には，図面とともに以下の事項が記載されている。
　
Ｇ．「【０００２】
 【従来の技術】
  システムオーディオにおける従来のコネクタ接続構造の一例を図４に示す。これは各々のユニット３４，３５，３６を縦積みし，基板(図示はせず)上に半田付けされたコネクタ端子３７をリアーパネル３８，３９，４０に空けられた穴部４１より出し，ビス４２によってリアーパネル３８，３９，４０に固定する。そしてコネクタケーブル４３のコネクタ端子３７をそれぞれリアーパネル３８，３９，４０のコネクタ端子部４４に接続し，各々ユニット間の電気信号を相互に送受信していた。
　【０００３】
【考案が解決しようとする課題】
  従来の構成では，接続は一般的に製品を購入したユーザーが行うため，オーディオの知識があまり無い人には接続はたいへん困難である。また一度セッティングしたユニットを移動する時などは先にコネクタケーブルを外し，設置後再度接続しなければならない等の欠点があった。本考案は上記問題点に鑑み各ユニット間のコネクタの接続を容易に行える構造を提供しようとするものである。
　【０００４】
 【課題を解決するための手段】
  本考案では，複数個のユニットにそれぞれ設けたコネクタ端子によってオーディオ機器を電気的に接続したシステムオーディオ機器において，天面に開閉板と天面を貫通する少なくとも１つのガイド棒と底面に少なくとも１つのガイド棒を保持する凹部と第１のコネクタ端子とを有し，ユニットにはガイド棒と第２コネクタ端子とを可動自在に連結しガイド棒が天面より下部に押し下げられているときは，第２のコネクタ端子が天面より開閉板を介して上部に突出する手段を設けたユニットと，該ユニットを２つ以上積み重ねてそれぞれのユニットの第１のコネクタ端子と第２のコネクタ端子とを電気的に接続する手段を設けたコネクタ接続構造である。」
　
Ｈ．「【０００６】
　【実施例】
  図１は，本考案における一実施例で，ユニットの要部のみを示す概略構成図である。本ユニットでは凹状のコネクタ端子１とフレシキブルワイヤ２が半田付けされた基板３と取付金具４とをネジ５，６により固定されている。上下ユニット間の配線は，コネクタ端子１を介して行われる。そして，フレシキブルワイヤ２のもう一端はメイン基板(図示せず）へ接続されている。
 【０００７】
  図２（ａ）は，本考案の一実施例で，ユニットを下段に置く際の天面部を示す要部断面図である。図２（ｂ）は，図２（ａ）のＡ−Ａ’の断面図である。取付金具の長穴部７とベース部８のボス部８ａ(図１に示す)を座付ネジ９にて取り付ける。取付金具４は上下に滑り穴部７の範囲で移動する。ガイド棒１０を圧入したガイド金具１１には，ベース部８のボス部１２とガイド金具１１の長穴部１３とを座付ネジ１４にて取り付け，ベース部８のガイド部１５及びボス部１２にてガイド金具１０が上下に滑り移動することができるように載っている。更にガイド金具１１のボス部１６とベース部のボス部１７と取付金具のボス部１８とに連結金具の長穴部１９及び回転軸穴部２０を合わせ，スリットワッシャー２１にて取り付けてある。
 【０００８】
  ベース上部には，開閉板２２を取り付け，スプリング２３によって通常は閉った状態とされ，以上のように組み立てられた構造部は図２（ｂ）に示すリアーパネル２４にネジ２５により固定される。ユニット本体の上カバー２６(図１に示す)は，ガイド棒１１及びコネクタ端子１により接続するための穴部２７，２８が空けられている。
 【０００９】
  一方図１に示すように，ユニットの底面部には，基板３にコネクタ端子２９及びワイヤー(図示せず）を半田付けし，凸状のコネクタ端子２９はネジ３０にてシャーシ３１へ固定し，図示しなくともワイヤーはメイン基板（図示せず）へ接続されて，複数個のユニットが接続できるようになされている。このように，一つのユニットの天面部及び底面部にコネクタ端子を取り付けているが，２つのユニットだけで良いときは，上段ユニットを設けその底面部にコネクタ端子２９，下段ユニットを設けその天面部にコネクタ端子１のみを取り付けても良い。
 【００１０】
  図３（ａ）は，本考案の一実施例で，複数個のユニットを載置した内の一接続部の要部断面図である。図３（ｂ）は，（ａ）のＡ−Ａ’の断面図である。ユニットを重ね置くと，ガイド棒１０はシャーシ３１に設けたガイド凹部３２に入り込む。更に，上カバー２６にはガイド凸部３２ａが設けてあり，ガイド凹部３２は，ガイド凸部３２ａに入り込む。複数のユニットを積み重ねるときは，ガイド凸部３２ａの形状とガイド凹部の形状を変えておくことにより，ユニットの接続順序の誤りを防ぐことができる。以上のような構成により，上下段のユニットの位置出しがなされながらガイド棒１０を押し下げる。そして押し下げられたガイド棒１０は連結金具３３を介し取付金具４を上へと持ち上げる。
　【００１１】
  この時コネクタ端子１は開閉板２２を押し上げ突き出し，上下段のユニットの凸状のコネクタ端子２９，凹状のコネクタ端子１を簡単に接続できる。また，ユニットの天面部，底面部にコネクタを設けることで，接続されたコネクタにより，積み重ねたユニットの崩れを防ぐ事ができる。そしてコネクタによって，各々のユニットの位置決めも兼ねる事ができるため，整然とユニットを積み重ねることができる。もちろん，横に並べてた配置にする場合では，それぞれとコネクタ端子で配線接続することでお互いに動作させることができる。」
　
４．刊行物４
　本願の出願前に頒布された刊行物である特開平７−１５３２４７号公報（平成７年６月１６日発行）には，図面とともに以下の事項が記載されている。
　
Ｉ．「【００１７】図２には，本発明に係る車載用音響機器システムの概略的なブロック図を示す。図２に示すモニタ及びキーボードを備えたヘッドユニット２は，メインＣＰＵ，サブＣＰＵ，グラフィックス描画・表示回路等を有するＣＰＵ装置が備えられたメイン基板及びＣＤ−ＲＯＭプレーヤから成るメインユニット３ａに，接続部２２を介して接続されている。パワーユニット３ｂは，電源部，ＤＳＰプリアンプ部，及びパワーアンプ部から成る。このパワーユニット３ｂの電源部は，本発明の車載用音響機器システムに安定した電源を供給し，ＤＳＰプリアンプ部は，音質／音量調整，サラウンド，及びパラメトリックイコライザ等の機能を実行するものである。このパワーユニット３ｂには，接続部２２を介してフロントスピーカ２０及びリアスピーカ２１が接続される。
【００１８】また，図２には，オプションユニットとして，ＦＭ／ＡＭ用チューナユニット１５ａ，ＣＤユニット１６，ナビゲーションユニット１７，及びＴＶ（テレビジョン）チューナユニット１５ｂが示されている。但し，このＴＶチューナユニット１５ｂは上記ＦＭ／ＡＭ用チューナユニット１５ａに含まれても良いものである。
【００１９】上記メインユニット３ａと上記パワーユニット３ｂとにおいては，上記メインユニット３ａのパワーユニット３ｂと対向する面（上面）と上記パワーユニット３ｂのメインユニット３ａと対向する面（底面）とは同一寸法であり，また，上記メインユニット３ａのパワーユニット３ｂと対向する面（上面）に設けられたコネクタ部９と上記パワーユニット３ｂのメインユニット３ａと対向する面（底面）に設けられたコネクタ部１０とは同一位置にある。よって，上記メインユニット３ａのコネクタ部９と上記パワーユニット３ｂのコネクタ部１０とを嵌合することにより，上記メインユニット３ａと上記パワーユニット３ｂとは接続される。
【００２０】また，上記各オプションユニットには，上記メインユニット３ａに設けられたコネクタ部９と同様のコネクタ部９が他のユニットと接する側面の内の一方の面にそれぞれ設けられ，上記パワーユニット３ｂに設けられたコネクタ部１０と同様のコネクタ部１０が他のユニットと接する側面の内の他方の面にそれぞれ設けられている。ここで，上記メインユニット３ａとパワーユニット３ｂとが接続された集合体の側面とオプションユニットの側面とは同一寸法であり，また，上記パワーユニット３ｂの側面に設けられたコネクタ部９とオプションユニットに設けられたコネクタ部９及びコネクタ部１０とは同一位置にある。よって，上記パワーユニット３ｂのコネクタ部９と上記オプションユニットの他方の面に設けられたコネクタ部１０とを嵌合させることにより，上記パワーユニット３ｂと一つのオプションユニットとが接続される。また，さらに，上記パワーユニット３ｂに接続されたオプションユニットのコネクタ部９と他のオプションユニットのコネクタ部１０とを嵌合させていくことにより，複数のオプションユニットを接続することができる。
【００２１】このような接続方法により順に接続されたパワーユニット３ｂ及びオプションユニットであるＦＭ／ＡＭ用チューナユニット１５ａ，ＣＤユニット１６，ナビゲーションユニット１７，ＴＶチューナユニット１５ｂには，上記メインユニット３ａからの制御信号がシステムバス１９を介して送られ，制御される。」
　
Ｊ．「【００３４】上述したメインユニット３ａは，８０ピンのコネクタによりパワーユニット３ｂ及びオプションユニットであるチューナユニット１５，ＣＤユニット１６，ナビゲーションユニット１７と接続される。このとき，システムバス１９は，メインユニット３ａとパワーユニット３ｂ及び各オプションユニット１５，１６，１７とを接続して本発明の車載用音響機器システムを構成するために不可欠であり，本発明の車載用音響機器システムの特徴となっているものである。このシステムバス１９は，電源ライン，メインＣＰＵバス，オーディオ信号ライン，ビデオ信号ライン，及びその他の制御ラインに大別される。
【００３５】ここで，システムバス１９に使用される８０ピンコネクタの端子配置を表１に示す。」
　
Ｋ．「【００４１】第２３ピンの端子Ｌ＿ＣＨはスピーカ２０の左チャンネルからの出力に，ピン番号２５の端子Ｒ＿ＣＨはスピーカ２０の右チャンネルからの出力に使用される。第２７ピンの端子ＶＩＤＥＯは，コンポジットビデオ信号の出力に使用される。第３６ピン〜第５１ピンの端子ＤＢ＿０〜ＤＢ＿１５は１６本のデータバス用に，また，第５２ピン〜第７４ピンの端子ＡＢ＿１〜ＡＢ＿２３は２３本のアドレスバス用に，それぞれ使用される。尚，第７５ピン〜第８０ピンまでの＊印が付いた端子は，負論理（ＡＣＴＩＶＥ  ＬＯＷ）を意味する。
【００４２】パワーユニット３ｂは，上述したように，ボリューム／バランス／フェーダ用の電子ボリュームが設けられており，パラメトリックイコライザとサラウンドプロセッサとから成るＤＳＰプリアンプ４３及びパワーアンプ４２を含む制御部４７及び電源部４１を備える。この電源部４１は，メインユニット３ａ内のサブＣＰＵ３１によりＯＮ／ＯＦＦ制御される。また，上記メインユニット３ａからの制御信号は，バスＩ／Ｆ（インターフェイス）部４６を介して行われる。」
　
５．刊行物５
　本願の出願前に頒布された刊行物である特開昭５８−１１７６６８号公報（昭和５８年７月１３日発行）には，図面とともに以下の記載がある。
　
Ｌ．「第２図は本発明に使用する転向接続式コネクタの一実施例を示す。同図において１は雄コネクタ，２はピンブロックで所要数の接続ピン３と，両端面にトラニオン４を有する。５は枠体で，その両側面にはトラニオン４を有する。５は枠体で，その両側面にはトラニオン４を支承する軸受孔６を備えている。７は要素機器の天板である。８は雌コネクタで所要数のピンホール９を備えている。１０は要素機器の底板である。
　雄コネクタ１は非使用時には第２図（ａ）のようにピンブロック２はその接続ピン３が水平になるように倒され，使用時には同図（ｂ）のように接続ピン３が直立するように起こされる。このことは第２図（ｃ）にも表現されている。
　第３図は以上のような雄雌コネクタを用いて要素機器を電気的に直結する本発明の一実施例を示す。１１，１２は共にオーディオ要素機器で，各々天板７には雄コネクタ１が取付けられ，底板１０には雌コネクタ８が取付けられる。そしてこれ等を電気的に直結する場合は，下になる方の要素機器１２のピンブロック２を起こしてから，その上に要素機器１１を重ねて雌雄コネクタを結合するだけで両要素機器間の必要な電気的接続は凡て完了するのである。」（第１頁右下欄第８行から第２頁左上欄第１０行）
　
６．刊行物６
　当審で通知した拒絶の理由に引用された，本願の出願前に頒布された刊行物である特開昭６１−９００７号公報（昭和６１年１月１６日発行）には，図面とともに以下の事項が記載されている。
　
Ｍ．「第３図は各オーディオソースまたはコンポーネント間を接続するオーディオバスラインＷとコントロール信号バスラインＣＷ，および選択操作の動作を説明するためのブロック図である。
　この実施例ではアンプ部Ａには選択入力装置１，および選択信号発生回路２を設け，そのステレオ入力端子３．および制御端子４にはオーディオバスラインＷ，およびコントロール信号バスラインＣＷが接続されている。
　また，オーディオソースとなるテープデッキＳ１，ＣＤプレーヤＳ２，チユーナＳ３・・・・・・にはステレオ出力端子５ａ，５ｂ，・・・・・・，制御入力端子６ａ，６ｂ，・・・・・・が設けてある。７ａ，７ｂ，・・・・・・は選択信号が記憶されるシフトレジスタ，８ａ，８ｂ，・・・・・・はデコーダ，９ａ，９ｂ，・・・・・・はアナログスイッチ１０ａ，１０ｂ，・・・・・・を開閉するドライバアンプである。
　この図で，アンプ部Ａの選択入力装置１において，例えばテープデッキＳ１を選択すると，選択信号発生回路２からまずリセット信号が出力され，続いて選択データ例えば００１１が出力される。そのため各オーディオソース（Ｓ）のシフトレジスタ７（ａ，ｂ，ｃ，・・・・・・）に００１１が記憶される。そして，このとき各デコーダ８（ａ，ｂ，ｃ，・・・・・・）は３番目の端子に信号を出力するが，テープデッキＳ１のみに３番目の端子にドライバアンプ９ａが接続されているので，このドライバアンプ９ａによってアナログスイッチ１０ａがオンとなり，テープデッキＳ１のステレオ信号がアナログスイッチ１０ａおよびオーディオバスラインＷを介してアンプ部Ａに接続されることになる。
　また，同様にアンプ部ＡからＣＤプレーヤＳ２を選択する場合は，まず各オーディオソースＳのシフトレジスタ７（ａ，ｂ，ｃ，・・・・・・）がリセットされ，次にＣＤプレーヤＳ２のコードである例えば０１１１がコントロール信号バスラインＣＷを介して供給される。
　そして，各デコーダ８（ａ，ｂ，ｃ，・・・・・・）には７番目の端子に信号が出力されるが，７番目の端子にドライバアンプ９ａが接続されているＣＤプレーヤＳ２のアナログスイッチ１０ｂのみがオンとなるので，ＣＤの再生オーディオ信号がオーディオバスラインＷを介してアンプ部Ａに入力される。」（第２頁右上欄第１５行〜右下欄第１９行）
　
７．刊行物７
　当審で通知した拒絶の理由に引用された，本願の出願前に頒布された刊行物である特開昭６３−２９９４９４号公報（昭和６３年１２月６日発行）には，図面とともに以下の事項が記載されている。
　
Ｎ．「〈実施例の詳細な説明〉
　以下，図を参照しつつこの発明を詳細に説明する。第１図のコンポーネント・オーディオ／ビデオ・システムはテレビジョン受像機ｌ０，オーディオ増幅器１２，コンパクト・オーディオ・ディスク・ブレヤー（ＣＤプレヤー）１４，オーディオ・テープレコーダ１６，ＡＭ／ＦＭ受信機１８，１対のビデオ・カッセト・レコーダ２０，およびビデオ・ディスク・プレヤー２４を具えている。各種の装置は４本の個々のバス，すなわち双方向性データ・バス３２，ビデオ・バス３４，左チャンネル・データ・バス３６，右チャンネル・データ・バス３８からなるコンポーネント・オーディオ／ビデオ・バス３０によって互いに結合されてシステムを構成している。前述の米国特許第４５８１６４５号明細書の示されているように，図示のデイジー・チェーン形式のバス構成を使用することにより，システム中の周辺装置の追加，除去，置換が簡単になり，また装置の結合のために分布形スイッチよりも中央スイッチ・マトリックスを使用したシステムの配線特性が込み入るのを避けることが出来るという利点がある。この発明の原理はいずれの形式のバス制御コンポーネント・システムにも適用することが出来る。」（第４頁左上欄第１７行〜右上欄第２０行）
　
Ｏ．「上述のシステムの部分の動作において，ユーザーは遠隔制御ユニット６８上のキーを押すことによってシステム・コントローラ６０に装置の選択および動作モード制御命令情報を送り，この遠隔制御ユニット６８は選択された周辺オーディオ／ビデオ装置１２乃至２４に命令を送信する。従属（スレーブ）すなわち遠隔制御ブロッセサ８０乃至９２は，双方向性データ・バス３２を介してマスタ・システム・コントローラ６０に状態メッセージを送り返すことによって上記マスタ・システム・コントローラからのメッセージに対して受領したことを伝達する。前述の文献中でピッチ氏（Ｒ．Ａ．Ｐｉｔｓｃｈ）は好ましいバス交信プロトコールについて述べている。バス３２を介して戻された状態情報はＴＶ受像機のスクリーン上に表示され，選択された周辺装置のそのときの動作モードをユーザーに知らせる。
　この発明の特徴によれば，周辺装置コントローラ８０乃至９２によって供給される状態メッセージは，記録するためにコントローラ６０によって選択されたコンポーネントを識別するためのソース・フラッグ，選択された記録装置に記録信号を供給するためにコントローラ６０によって選択されたコンポーネントを識別するためのＳＩＮＫフラッグを含んでいる。”選択された”という用語は，コントローラ６０からの命令に応答してバス３０のオーディオおよび／またはビデオ線路に結合された装置を意味する。ここで使用されているように，記録のためのビデオ信号源として動作するコンポーネントはＶＳＲＣと称され，記録用のオーディオ信号源として動作するコンポーネントはＡＳＲＣと称される。
これらの省略形は後程説明する第２図のフローチャートで使用されている。」（第５頁右上欄第１８行〜右下欄第９行）
　
Ｐ．図面第１図には，オーディオテープレコーダ，ＡＭ／ＦＭ受信機，ビデオカセットレコーダ等が，双方向性データバス３２，ビデオ・バス３４，左オーディオ・バス３６，右オーディオ・バス３８に接続していることが記載されている。
　
刊行物８
　本願の出願前に頒布された刊行物である特開平８−６３３５８号公報（平成８年３月８日発行）には，図面とともに以下の事項が記載されている。
　
Ｑ．「【００１８】図２において３ａはメインユニット，３ｂはパワーユニットである。パワーユニット３ｂはメインユニット３ａ及び各オプションユニットに電源を供給するとともにオーディオパワーアンプとして機能するように接続されたユニットである。
【００１９】１５，１６，１７はそれぞれオプションユニットであり，１５はチューナユニット，１６はＣＤユニット，１７はナビゲーションユニットである。２，８はメインユニット３ａの入出力部であり，入出力部２において３６は各種操作キーやロータリエンコーダなどによる操作部，３７はＣＲＴやＬＣＤなどにより構成されるモニタ部である。また，入出力部８において３８は例えば後部座席用もしくは助手席用のサブモニタ部，３９は外部入力端子である。なお入出力部８には操作部はなく，サブモニタ部３８にはモニタ部３７と同一の画像が表示される。
【００２０】メインユニット３ａ，パワーユニット３ｂ，及び各オプションユニット１５，１６，１７は，システムバス１９により接続されている。システムバス１９には電源ライン，ＣＰＵバス，オーディオライン，ビデオラインが構成されている。
【００２１】この実施例のメインユニット３ａにはＣＤ−ＲＯＭプレーヤ２３が搭載されている。メインユニット３ａ内のメインＣＰＵ３０は，プログラム実行部であってメインＲＯＭ（メインプログラムＲＯＭ）３３と，パワーユニット３ｂ内のＲＯＭ４４，及び各オプションユニット１４，１５，１６内のＲＯＭ（オプションプログラムＲＯＭ）５３，５６，６１とをアクセスして，各プログラムを実行し，メインユニット３ａ，パワーユニット３ｂ，各各オプションユニット１４，１５，１６を制御する。このため，メインＣＰＵ３０としては高速処理の高性能なものが望ましい。」
　
第４　対比
　
　本願発明を刊行物１発明と比較する。
　刊行物１発明のＡＶシステムを構成する１つのＡＶ機器１はＡＶセンターとされ，他の３つのＡＶ機器２ａ〜２ｃは周辺機器（Ａ），（Ｂ），（Ｃ）とされており，ＡＶ機器１には他のＡＶ機器２ａ〜２ｃからのＡＶ信号が入力されていることは明らかである。
　ＡＶ機器の扱うＡＶ信号に関して，刊行物１発明は，「各ＡＶ機器の信号コネクタ４は６つの端子Ｔ4〜Ｔ9を有し，３つの端子Ｔ4，Ｔ6，Ｔ8は映像用であり，他の３つの端子Ｔ5，Ｔ7，Ｔ9は音声用であり」とされ，「ＡＶ機器２ａ〜２ｃ（例えばＶＴＲ，チューナ）」とあることからみて，ＡＶ信号はアナログ信号と解される。そして，刊行物１発明において，「ＡＶ機器（Ａ）２ａのＡＶ信号はＡＶ信号ケーブル６ａ，６ｂ，６ｃを介して他のＡＶ機器１，２ｂ，２ｃに出力され，又，他のＡＶ機器１，２ｂ，２ｃからのＡＶ信号がＡＶ信号ケーブル６ａ，６ｂ，６ｃを介してＡＶ機器（Ａ）２ａに入力され」るから，刊行物１発明のＡＶ機器１はアナログ信号の入出力を行うものである。
　また，ＡＶ機器１は，操作ボタン１０を操作すると，インターフェース（Ｉ／Ｆ）１１に所定の信号が入力され，インターフェース１１は，これらの信号を内部バス制御線１４を介してＣＰＵ１５に出力し，ＣＰＵ１５は，プログラムＲＯＭ１６に記憶されているプログラムに従って各部を制御するものであり，各ＡＶ機器２ａ〜２ｃと接続されて各種のコマンドの授受を行うものである。そして，ＡＶバスは平衡＋信号線，平衡−信号線及びアース線から構成されているから，ディジタル信号を使用していることは明らかである。
　この点について請求人は平成２１年７月２４日付け意見書において，「ここで，本意見書と同時に提出する資料１（ＩＥＥＥ　電気・電子用語辞典）によれば，「平衡線回路」とは，「アース，または，他の導電体に対して，電気的に同等あるいは対称である１対の回路。主に，同等の対をなす回路を示す。」と説明されています。すなわち，「平衡線回路」という用語から，アナログ回路であるのか，ディジタル回路であるのか判別することはできず，それゆえ，平衡線回路がディジタル回路であるとは言い切ることができません。さらに，平衡信号とは，一般には差動信号とも呼ばれており，アナログ回路で用いられる差動増幅器への入力として平衡信号が用いられることも明らかです。加えて，刊行物１の段落［００１０］以外の記載を見ても，平衡＋信号線及び平衡−信号線がアナログ信号線であるのか，ディジタル信号線であるのかについては何ら言及がありません。以上のことから，出願人は，上記ご認定，すなわち，「ＡＶバスは平衡＋信号線，平衡−信号線及びアース線から構成されているから，ディジタル信号を使用していることは明らかである。」とのご認定には承服することができません。」と主張している。
　しかし，刊行物１発明は，「ＡＶバス制御通信処理マイコン２０は内部バスに接続され，ＡＶバス制御通信処理ＩＣ２１を介し，端子Ｔ１，Ｔ２，Ｔ３及びＡＶバスケーブルにより各ＡＶ機器２ａ〜２ｃと接続され，各ＡＶ機器２ａ〜２ｃと各種のコマンドの授受を行い，各ＡＶ機器２ａ〜２ｃのＡＶバス制御通信処理マイコン２０も内部バスに接続され，ＡＶバス制御通信処理ＩＣ２１を介し，端子Ｔ１，Ｔ２，Ｔ３及びＡＶバスケーブルにより各ＡＶ機器と接続され，各種のコマンドの授受を行う」ものであり，「ＡＶバス」は各種のコマンドの授受に持ちいられる点からも，デジタル信号を扱っていることは明らかであるから，出願人の主張は受け入れられない。
　さらに，請求人は，「「ＡＶ機器１は，アナログ信号の入力手段，ディジタル信号を入出力するディジタル信号入／出力手段，システムバスを備えている点で，本願の『コンピュータ基板の制御センター』に相当する。」と説示されています。しかし，刊行物１の段落［００１５］（今般の拒絶理由通知書における引用個所Ｂ）によれば，「ＡＶ機器１はテレビ受像機であり」ます。つまり，刊行物１のＡＶ機器１は，本願請求項１の「ステーション」に相当するということはできたとしても，「コンピュータ基盤の制御センター」に相当するということはできません。」と主張している。
　しかし，刊行物１発明は，操作ボタン１０を操作すると内部バス制御線１４を介してＣＰＵ１５に信号が出力され，ＣＰＵ１５はプログラムＲＯＭ１６に記憶されているプログラムに従って各部を制御し，各ＡＶ機器２ａ〜２ｃと各種のコマンドの授受を行うのだから，ＡＶ機器１はテレビ受像器であると同時にコンピュータ基盤の制御センターといえる。
　そして，刊行物１発明では，「内部バス」を介してＣＰＵ１４，インターフェース１１，プログラムＲＯＭ１６，ＡＶバス制御通信マイコン２０等の間でデータ授受を行っているから，上記「内部バス」がコンピュータのシステムバスといえることは明らかであり，「システムバス」に相当するとした点に誤りはない。
　以上から，刊行物１発明のＡＶ機器１は，アナログ信号の入力手段，ディジタル信号を入出力するディジタル信号入／出力手段，システムバスを備えた，本願発明の「コンピュータ基盤の制御センター」に相当する。
　刊行物１発明のＡＶ機器２ａ〜２ｃは，例えばＶＴＲ，チューナであり，ＡＶバスケーブルで接続されてコマンドの授受を行っているから，本願発明の，「アナログ信号を入出力する各ステーションのアナログ信号入／出力手段と，ディジタル信号を入出力する各ステーションのディジタル信号入／出力手段と，を有する，アナログオーディオ／ビデオソース（ａｎａｌｏｇ　ａｕｄｉｏ／ｖｉｄｅｏ　ｓｏｕｒｃｅ）の複数のステーション」に相当する。
　以上から，本願発明と刊行物１発明は，以下の一致点，相違点がある。　
［一致点］
「コンピュータ基盤の制御センター（ｃｏｎｔｒｏｌ　ｃｅｎｔｅｒ）及びアナログオーディオ／ビデオソース（ａｎａｌｏｇ　ａｕｄｉｏ／ｖｉｄｅｏ　ｓｏｕｒｃｅ）の複数のステーション（ｓｔａｔｉｏｎ）を持つマルチメディアプレーヤシステム（ｍｕｌｔｉ　ｍｅｄｉａ　ｐｌａｙｅｒｓｙｓｔｅｍ）において，
　アナログ信号を入出力する制御センターのアナログ信号入／出力手段と，ディジタル信号を入出力する制御センターのディジタル信号入／出力手段と，システムバスと，を有するコンピュータ基盤の制御センターと，
　アナログ信号を入出力する各ステーションのアナログ信号入／出力手段と，ディジタル信号を入出力する各ステーションのディジタル信号入／出力手段と，を有する，アナログオーディオ／ビデオソース（ａｎａｌｏｇ　ａｕｄｉｏ／ｖｉｄｅｏ　ｓｏｕｒｃｅ）の複数のステーションと，
　を備えることを特徴とするマルチメディアプレーヤシステム。」
　
［相違点１］
　本願発明は，「制御センター及び複数のステーションの各ステーションに装着され，複数の雄コネクタのうちの第１の雄コネクタと複数の雌コネクタのうちの第１の雌コネクタとを有する第１のコネクタ（ｃｏｎｎｅｃｔｏｒ）と，前記制御センター及び前記各ステーションで前記第１のコネクタと隣接するように装着され，複数の雄コネクタのうちの第２の雄コネクタと複数の雌コネクタのうちの第２の雌コネクタとを有する第２のコネクタと，」を有し，「前記制御センターが有する第１のコネクタと前記各ステーションが有する第１のコネクタとは，互いに対向する位置に設けられ，前記制御センターが有する第２のコネクタと前記各ステーションが有する第２のコネクタとは，互いに対向する位置に設けられ」ているのに対して，刊行物１発明はＡＶ機器に設けられたバス用コネクタと信号コネクタ間をＡＶバスケーブルとＡＶ信号ケーブルで接続することは記載されているが，コネクタの雄雌や取付位置についての記載がない点。
　
［相違点２］
　本願発明は，「前記第１のコネクタの複数の対応するピン（Ｐｉｎ）を前記制御センター及び前記各ステーションのアナログ信号入／出力手段に連結するための第１の複数の信号ラインを持つ，マルチメディアアナログバスである第１のバス（ｂｕｓ）と，前記第２のコネクタの複数の対応するピンを前記制御センターのシステムバス及び前記各ステーションのディジタル信号入／出力手段に連結するための第２の複数の信号ラインを持つ，周辺装置の内部バスである第２のバス」を備えているのに対して，刊行物１発明では，ＡＶ信号は切替器を介してＡＶ機器の信号コネクタに接続され，ＡＶバスは，内部バスに接続されたＡＶバス制御通信処理マイコン２０からＡＶバス制御通信処理ＩＣ２１を介してＡＶ機器のバスコネクタに接続されており，マルチメディアアナログバスを備えているのか明記されておらず，またコネクタのピンとマルチメディアアナログバス及びシステムバスとの関係が不明な点。
　
第５　判断
　
相違点１について
　機器の対向する位置に雄雌のコネクタを設け，一方の機器の雄コネクタが他方の機器の雌コネクタに接続できるようにして複数の機器を接続し，システムを構成することは上記刊行物２から５により周知技術である。上記周知技術を刊行物１発明のバスコネクタと信号コネクタに適用して，機器を互いに接続できるように，機器の対向する位置に雄雌のコネクタを設けることは当業者が容易に想到することができたものである。
　
相違点２について
　刊行物１発明において，「各ＡＶ機器の信号コネクタ４は６つの端子Ｔ4〜Ｔ9を有し，３つの端子Ｔ4，Ｔ6，Ｔ8は映像用であり，他の３つの端子Ｔ5，Ｔ7，Ｔ9は音声用であり，映像用の各端子Ｔ4，Ｔ6，Ｔ8は切換器内の切換スイッチＳＷ4，ＳＷ6，ＳＷ8を介して映像出力線と映像入力線に選択的に接続され，音声用の各端子Ｔ5，Ｔ7，Ｔ9も切換器内の切換スイッチＳＷ5，ＳＷ7，ＳＷ9を介して音声出力線と音声入力線に選択的に接続され」「ＡＶ機器（Ａ）２ａのＡＶ信号はＡＶ信号ケーブル６ａ，６ｂ，６ｃを介して他のＡＶ機器１，２ｂ，２ｃに出力され，又，他のＡＶ機器１，２ｂ，２ｃからのＡＶ信号がＡＶ信号ケーブル６ａ，６ｂ，６ｃを介してＡＶ機器（Ａ）２ａに入力」しているように，刊行物１発明において，各機器間でのアナログ信号の入出力端子は連結されているから，刊行物１発明の「ＡＶ信号ケーブル」と称する箇所は，本願発明のマルチメディアアナログバスに相当するといえる。しかしながら，刊行物１発明には「バス」と明記がないので，この点を検討するに，複数機器間をアナログ信号を伝送するバスラインで接続することは刊行物６〜８に記載されているように周知であるから，刊行物１発明のＡＶ信号の接続に，上記周知技術を適用してバス構成を採用することは，当業者が容易に想到し得ることである。
　さらに，刊行物１発明のＡＶ機器においては，ＡＶバス制御通信処理マイコン２０が内部バスに接続され，ＡＶバス制御通信処理ＩＣ２１を介し，端子Ｔ１，Ｔ２，Ｔ３及びＡＶバスケーブルにより各ＡＶ機器２ａ〜２ｃと接続されており，実質的に内部バスがコネクタを介して外部と接続されている。
　この点について請求人は，「請求項１に係るシステムバスは，第２のバスを通して第２のコネクタへ接続するものです（上記特徴１−Ｉ）。かかる特徴は，本願図９に示す「システムメインバス」，「ＤＢＵＳ１」（第２のバス），及び「ＰＣＩコネクタ１００Ｅ」（第２のコネクタ）によって，担保されます。これに対し，刊行物１の図３及び図４を見ても，バスを介して内部バス１４へ接続するコネクタは開示されません。端子Ｔ１，Ｔ２，及びＴ３は，第２のバスを介して内部バス１４，１４´へ接続するものではありません。」と主張しているので，検討する。
　刊行物４の，「【００３４】上述したメインユニット３ａは，８０ピンのコネクタによりパワーユニット３ｂ及びオプションユニットであるチューナユニット１５，ＣＤユニット１６，ナビゲーションユニット１７と接続される。このとき，システムバス１９は，メインユニット３ａとパワーユニット３ｂ及び各オプションユニット１５，１６，１７とを接続して本発明の車載用音響機器システムを構成するために不可欠であり，本発明の車載用音響機器システムの特徴となっているものである。このシステムバス１９は，電源ライン，メインＣＰＵバス，オーディオ信号ライン，ビデオ信号ライン，及びその他の制御ラインに大別される。【００３５】ここで，システムバス１９に使用される８０ピンコネクタの端子配置を表１に示す。」「【００４１】第２３ピンの端子Ｌ＿ＣＨはスピーカ２０の左チャンネルからの出力に，ピン番号２５の端子Ｒ＿ＣＨはスピーカ２０の右チャンネルからの出力に使用される。第２７ピンの端子ＶＩＤＥＯは，コンポジットビデオ信号の出力に使用される。第３６ピン〜第５１ピンの端子ＤＢ＿０〜ＤＢ＿１５は１６本のデータバス用に，また，第５２ピン〜第７４ピンの端子ＡＢ＿１〜ＡＢ＿２３は２３本のアドレスバス用に，それぞれ使用される。尚，第７５ピン〜第８０ピンまでの＊印が付いた端子は，負論理（ＡＣＴＩＶＥ  ＬＯＷ）を意味する。」との記載や刊行物８の「【００２０】メインユニット３ａ，パワーユニット３ｂ，及び各オプションユニット１５，１６，１７は，システムバス１９により接続されている。システムバス１９には電源ライン，ＣＰＵバス，オーディオライン，ビデオラインが構成されている。」との記載によればシステムバスを外部機器との接続に供することは周知技術であるから，刊行物１発明に記載されているようなＡＶバスによる，間接的な内部バスの接続に代えて，コネクタによって内部バスを直接接続することは当業者が容易に想到することができたものである。
　
　そして，本願発明によってもたらされる効果は，刊行物１発明および上記周知技術から当業者が予測し得る程度のものである。
　したがって，本願発明は，刊行物１発明及び上記周知技術に基づいて当業者が容易に発明することができたものである。
　
第６　むすび
　
　以上より，本願発明は，刊行物１発明及び周知の技術に基づいて当業者が容易に発明することができたものであるから，特許法第２９条第２項の規定により特許を受けることができない。
　
　よって，結論のとおり審決する。